(57)【要約】【課題】部品点数を削減でき、生産性を向上することができるコネクタを提供する。【解決手段】一対の幹線ケーブル３，３の間を接続するコネクタ本体５と、分岐ケーブル７に接続される分岐コネクタ本体９とを備えたコネクタ１において、コネクタ本体５を、両端が開口された筒状に形成し、一端側に一方の幹線ケーブル３の端部に圧着される圧着部１１を設け、他端側に他方の幹線ケーブル３の端部に外周から締結されるボルト１３を介して他方の幹線ケーブル３に接続されるボルト締結部１５を設け、分岐コネクタ本体９に、一端側に分岐ケーブル７の端部に接続される分岐接続部１７を設け、他端側にコネクタ本体５に形成されたネジ穴１９に締結されコネクタ本体５に接続されるネジ部２１を設けた。【選択図】図１
2018018812.tif 000002
【特許請求の範囲】
【請求項１】
一対の幹線ケーブルの間を接続するコネクタ本体と、このコネクタ本体に組付けられ前記一対の幹線ケーブルから分岐する分岐ケーブルに接続される分岐コネクタ本体とを備えたコネクタであって、
コネクタ本体は、両端が開口された筒状に形成され、一端側に前記一対の幹線ケーブルのうち一方の幹線ケーブルの端部に圧着される圧着部が設けられ、他端側に前記一対の幹線ケーブルのうち他方の幹線ケーブルの端部に外周から締結されるボルトを介して前記他方の幹線ケーブルに接続されるボルト締結部が設けられ、
前記分岐コネクタ本体は、一端側に前記分岐ケーブルの端部に接続される分岐接続部が設けられ、他端側に前記コネクタ本体に形成されたネジ穴に締結され前記コネクタ本体に接続されるネジ部が設けられていることを特徴とするコネクタ。
【請求項２】
請求項１記載のコネクタであって、
前記分岐接続部は、前記分岐コネクタ本体の一端が開口された筒状に形成され、前記分岐コネクタ本体の外周から締結されるボルトを介して前記分岐ケーブルに接続される分岐ボルト締結部を有することを特徴とするコネクタ。
【請求項３】
請求項１又は２記載のコネクタであって、
前記ボルトの頭部は、所定の締結力により切断可能であることを特徴とするコネクタ。
【請求項４】
請求項１乃至３のいずれか１項に記載のコネクタであって、
前記コネクタ本体は、少なくとも前記ボルトが締結される他端側の外形形状が多角形状に形成され、それぞれの面に前記ボルトが締結されるボルト用ネジ穴が設けられていることを特徴とするコネクタ。
【請求項５】
請求項４記載のコネクタであって、
前記コネクタ本体の隣り合う面に設けられた前記ボルト用ネジ穴は、前記コネクタ本体の長さ方向の異なる位置に配置されていることを特徴とするコネクタ。
【請求項６】
請求項４又は５記載のコネクタであって、
前記分岐コネクタ本体の前記ネジ部は、前記ボルト用ネジ穴に締結されることを特徴とするコネクタ。
【請求項７】
請求項１乃至６のいずれか１項に記載のコネクタであって、
前記コネクタ本体の前記圧着部と前記ボルト締結部とには、それぞれ前記一対の幹線ケーブルの外周と前記圧着部の内周及び前記ボルト締結部の内周との間を埋める調整部材が配置されていることを特徴とするコネクタ。
【発明の詳細な説明】
【技術分野】
【０００１】
本発明は、コネクタに関する。詳細には、一対の幹線ケーブル間を接続し、一対の幹線ケーブルから分岐可能なコネクタに関する。
【背景技術】
【０００２】
従来、コネクタとしては、一対の幹線ケーブルの間を接続するコネクタ本体としての一対の幹線圧縮端子と、この一対の幹線圧縮端子に組付けられ一対の幹線ケーブルから分岐する分岐ケーブルに接続される分岐コネクタ本体としてのチューリップコンタクトとを備えたものが知られている（例えば、特許文献１参照）。
【０００３】
このコネクタでは、一対の幹線ケーブルの端部に、それぞれ一対の幹線圧縮端子を圧縮固定し、一対の幹線圧縮端子を重ね合わせ、ボルトを、一方の幹線圧縮端子に挿通させ、他方の幹線圧縮端子に締結することによって、一対の幹線ケーブルが接続される。
【０００４】
この重ね合わされた一対の幹線圧縮端子に対して、チューリップコンタクトに形成されたネジ部を、一方の幹線圧縮端子に挿通させ、他方の幹線圧縮端子に締結することによって、一対の幹線ケーブルから分岐ケーブルに分岐させている。
【先行技術文献】
【特許文献】
【０００５】
【特許文献１】特開平１０−３１３５３０号公報
【発明の概要】
【発明が解決しようとする課題】
【０００６】
ところで、上記特許文献１のようなコネクタでは、一対の幹線ケーブルを敷設させる敷設現場に搬送する前に、一対の幹線ケーブルのそれぞれの端部に一対の幹線圧縮端子を圧縮固定させている。
【０００７】
このように一対の幹線ケーブルのそれぞれの端部に一対の幹線圧縮端子を圧縮固定させることにより、敷設現場では、一対の幹線圧縮端子を重ね合わせて一対の幹線ケーブルを接続し、必要に応じて、チューリップコンタクトを接続することによって、幹線ケーブルから分岐ケーブルに分岐させることができる。
【０００８】
しかしながら、上記特許文献１のようなコネクタでは、コネクタ本体としての一対の幹線圧縮端子が２部材必要であり、部品点数が増加していた。
【０００９】
また、上記特許文献１のようなコネクタでは、コネクタ本体としての一対の幹線圧縮端子を一対の幹線ケーブルの端部にそれぞれ圧縮固定する必要があり、生産性が低下していた。
【００１０】
加えて、敷設現場では、一対の幹線ケーブルの端部に幹線圧縮端子を圧縮固定することができないので、予め、幹線ケーブルの両端に幹線圧縮端子を圧縮固定する必要があり、さらに生産性が低下していた。
【００１１】
そこで、この発明は、部品点数を削減でき、生産性を向上することができるコネクタの提供を目的としている。
【課題を解決するための手段】
【００１２】
請求項１記載の発明は、一対の幹線ケーブルの間を接続するコネクタ本体と、このコネクタ本体に組付けられ前記一対の幹線ケーブルから分岐する分岐ケーブルに接続される分岐コネクタ本体とを備えたコネクタであって、コネクタ本体は、両端が開口された筒状に形成され、一端側に前記一対の幹線ケーブルのうち一方の幹線ケーブルの端部に圧着される圧着部が設けられ、他端側に前記一対の幹線ケーブルのうち他方の幹線ケーブルの端部に外周から締結されるボルトを介して前記他方の幹線ケーブルに接続されるボルト締結部が設けられ、前記分岐コネクタ本体は、一端側に前記分岐ケーブルの端部に接続される分岐接続部が設けられ、他端側に前記コネクタ本体に形成されたネジ穴に締結され前記コネクタ本体に接続されるネジ部が設けられていることを特徴とする。
【００１３】
このコネクタでは、コネクタ本体が、両端が開口された筒状に形成され、一端側に一方の幹線ケーブルの端部に圧着される圧着部が設けられているので、敷設現場に搬送する前の状態で、一方の幹線ケーブルの一端側にのみコネクタ本体を圧着部で圧着させればよく、生産性を向上することができる。
【００１４】
このコネクタ本体の他端側には、他方の幹線ケーブルの端部に外周から締結されるボルトを介して他方の幹線ケーブルに接続されるボルト締結部が設けられているので、敷設現場で、コネクタ本体のボルト締結部にボルトを締結すれば一対の幹線ケーブルを接続でき、部品点数を削減して一対の幹線ケーブルを接続することができる。
【００１５】
また、分岐コネクタ本体の他端側には、コネクタ本体に形成されたネジ穴に締結されコネクタ本体に接続されるネジ部が設けられているので、コネクタ本体のネジ穴に分岐コネクタ本体のネジ部を締結することにより、容易に一対の幹線ケーブルから分岐ケーブルを分岐させることができる。
【００１６】
従って、このようなコネクタでは、部品点数を削減でき、生産性を向上することができる。
【００１７】
請求項２記載の発明は、請求項１記載のコネクタであって、前記分岐接続部は、前記分岐コネクタ本体の一端が開口された筒状に形成され、前記分岐コネクタ本体の外周から締結されるボルトを介して前記分岐ケーブルに接続される分岐ボルト締結部を有することを特徴とする。
【００１８】
このコネクタでは、分岐接続部が、分岐コネクタ本体の一端が開口された筒状に形成され、分岐コネクタ本体の外周から締結されるボルトを介して分岐ケーブルに接続される分岐ボルト締結部を有するので、敷設現場で容易に分岐コネクタ本体と分岐ケーブルとを接続することができ、配線の自由度を向上することができる。
【００１９】
請求項３記載の発明は、請求項１又は２記載のコネクタであって、前記ボルトの頭部は、所定の締結力により切断可能であることを特徴とする。
【００２０】
このコネクタでは、ボルトの頭部が、所定の締結力により切断可能であるので、必要に応じて、ボルトの頭部を切断することができ、ボルトの頭部が外方に張り出すことがなく、小型化することができる。
【００２１】
請求項４記載の発明は、請求項１乃至３のいずれか１項に記載のコネクタであって、前記コネクタ本体は、少なくとも前記ボルトが締結される他端側の外形形状が多角形状に形成され、それぞれの面に前記ボルトが締結されるボルト用ネジ穴が設けられていることを特徴とする。
【００２２】
このコネクタでは、コネクタ本体が、少なくともボルトが締結される他端側の外形形状が多角形状に形成されているので、幹線ケーブルが回転したとしても、いずれかの面が作業者に対向して配置される。
【００２３】
この多角形状のそれぞれの面には、ボルトが締結されるボルト用ネジ穴が設けられているので、いずれかのボルト用ネジ穴が作業者に対向して配置され、ボルト用ネジ穴にボルトが斜めに挿入されることを防止でき、ボルトやボルト用ネジ穴の破損を防止することができる。
【００２４】
請求項５記載の発明は、請求項４記載のコネクタであって、前記コネクタ本体の隣り合う面に設けられた前記ボルト用ネジ穴は、前記コネクタ本体の長さ方向の異なる位置に配置されていることを特徴とする。
【００２５】
このコネクタでは、コネクタ本体の隣り合う面に設けられたボルト用ネジ穴が、コネクタ本体の長さ方向の異なる位置に配置されているので、コネクタ本体の周方向に隣り合うボルト用ネジ穴が干渉することがなく、１つのボルト用ネジ穴を１つの面に最大限設けることができ、電気的な接続信頼性と機械的な強度を向上することができる。
【００２６】
請求項６記載の発明は、請求項４又は５記載のコネクタであって、前記分岐コネクタ本体の前記ネジ部は、前記ボルト用ネジ穴に締結されることを特徴とする。
【００２７】
このコネクタでは、分岐コネクタ本体のネジ部が、ボルト用ネジ穴に締結されるので、ボルト用ネジ穴を分岐コネクタ本体のネジ部が締結されるネジ穴として共用化することができる。
【００２８】
請求項７記載の発明は、請求項１乃至６のいずれか１項に記載のコネクタであって、前記コネクタ本体の前記圧着部と前記ボルト締結部とには、それぞれ前記一対の幹線ケーブルの外周と前記圧着部の内周及び前記ボルト締結部の内周との間を埋める調整部材が配置されていることを特徴とする。
【００２９】
このコネクタでは、コネクタ本体の圧着部とボルト締結部とに、それぞれ一対の幹線ケーブルの外周と圧着部の内周及びボルト締結部の内周との間を埋める調整部材が配置されているので、様々な外径を有する複数種類の一対の幹線ケーブルに対して１つのコネクタ本体で対応することができ、コネクタ本体の汎用性を向上することができる。
【発明の効果】
【００３０】
本発明によれば、部品点数を削減でき、生産性を向上することができるコネクタを提供することができるという効果を奏する。
【図面の簡単な説明】
【００３１】
【図１】本発明の第１実施形態に係るコネクタの斜視図である。
【図２】本発明の第１実施形態に係るコネクタのコネクタ本体の斜視図である。
【図３】本発明の第１実施形態に係るコネクタのコネクタ本体に一対の幹線ケーブルを接続したときの斜視図である。
【図４】本発明の第１実施形態に係るコネクタの分岐コネクタ本体の斜視図である。
【図５】本発明の第１実施形態に係るコネクタのコネクタ本体に分岐コネクタ本体を接続するときの斜視図である。
【図６】本発明の第１実施形態に係るコネクタの幹線ケーブルと分岐ケーブルの端部の斜視図である。
【図７】本発明の第１実施形態に係るコネクタのボルトの正面図である。
【図８】本発明の第１実施形態に係るコネクタの周囲に絶縁部材を配置したときの斜視図である。
【図９】本発明の第２実施形態に係るコネクタの斜視図である。
【図１０】本発明の第２実施形態に係るコネクタのコネクタ本体の斜視図である。
【図１１】本発明の第２実施形態に係るコネクタのコネクタ本体の断面図である。
【図１２】本発明の第３実施形態に係るコネクタの分解斜視図である。
【図１３】（ａ）は本発明の第３実施形態に係るコネクタの圧着部側の要部拡大斜視図である。（ｂ）は本発明の第３実施形態に係るコネクタのボルト締結部側の要部拡大斜視図である。
【図１４】本発明の第３実施形態に係るコネクタの一対の幹線ケーブルを組付けるときの斜視図である。
【図１５】本発明の第３実施形態に係るコネクタの一対の幹線ケーブルを組付けたときの斜視図である。
【図１６】本発明の第３実施形態に係るコネクタの周囲に絶縁部材を配置したときの斜視図である。
【発明を実施するための形態】
【００３２】
図１〜図１６を用いて本発明の実施の形態に係るコネクタについて説明する。
【００３３】
（第１実施形態）
図１〜図８を用いて第１実施形態について説明する。
【００３４】
本実施の形態に係るコネクタ１は、一対の幹線ケーブル３，３の間を接続するコネクタ本体５と、このコネクタ本体５に組付けられ一対の幹線ケーブル３，３から分岐する分岐ケーブル７に接続される分岐コネクタ本体９とを備えている。
【００３５】
また、コネクタ本体５は、両端が開口された筒状に形成され、一端側に一対の幹線ケーブル３，３のうち一方の幹線ケーブル３の端部に圧着される圧着部１１が設けられ、他端側に一対の幹線ケーブル３，３のうち他方の幹線ケーブル３の端部に外周から締結されるボルト１３を介して他方の幹線ケーブル３に接続されるボルト締結部１５が設けられている。
【００３６】
そして、分岐コネクタ本体９は、一端側に分岐ケーブル７の端部に接続される分岐接続部１７が設けられ、他端側にコネクタ本体５に形成されたネジ穴１９に締結されコネクタ本体５に接続されるネジ部２１が設けられている。
【００３７】
また、分岐接続部１７は、分岐コネクタ本体９の一端が開口された筒状に形成され、分岐コネクタ本体９の外周から締結されるボルト１３を介して分岐ケーブル７に接続される分岐ボルト締結部２３を有する。
【００３８】
さらに、ボルト１３の頭部２５は、所定の締結力により切断可能である。
【００３９】
ここで、一対の幹線ケーブル３，３は、例えば、ビルなどの建物の各階に電力を供給するケーブルとなっており、分岐ケーブル７は、一対の幹線ケーブル３，３から分岐してそれぞれの階に電力を供給するケーブルとなっている。
【００４０】
この一対の幹線ケーブル３，３や分岐ケーブル７は、図６に示すように、導電性材料からなる導体２７と、この導体２７の外周に一体に設けられた絶縁性材料からなる絶縁体２９と、この絶縁体２９の外周に一体に設けられた絶縁性材料からなるシース３１とで構成されている。
【００４１】
このような一対の幹線ケーブル３，３や分岐ケーブル７は、長さ方向の端部において、絶縁体２９とシース３１とが剥がされ、導体２７が露出される端末処理を施された後、コネクタ１が接続されることによって、電気的に接続される。
【００４２】
図１〜図８に示すように、コネクタ１は、コネクタ本体５と、分岐コネクタ本体９とを備えている。
【００４３】
コネクタ本体５は、銅などの導電性材料からなり、両端が開口された筒状に形成され、一端側に圧着部１１が設けられ、他端側にボルト締結部１５が設けられている。
【００４４】
圧着部１１は、コネクタ本体５の一端側に設けられ、一対の幹線ケーブル３，３のうち一方の幹線ケーブル３の端末処理された端部が挿入され、治具などによって圧着される。
【００４５】
この圧着部１１は、圧着されることによって、コネクタ本体５と一方の幹線ケーブル３とを電気的に接続しつつ、コネクタ本体５を一方の幹線ケーブル３に固定させる。
【００４６】
このような圧着部１１は、一対の幹線ケーブル３，３を、建物などの敷設現場に搬送する前に、一方の幹線ケーブル３の端部に圧着される。
【００４７】
このため、敷設現場に一対の幹線ケーブル３，３が搬送された状態では、一方の幹線ケーブル３の端部にコネクタ本体５が圧着されて固定されている。
【００４８】
すなわち、敷設現場には、複数の幹線ケーブル３が搬送されている場合、１本の幹線ケーブル３の片方の端部にのみコネクタ本体５が圧着されて固定された状態となっている。
【００４９】
ボルト締結部１５は、コネクタ本体５の他端側に設けられ、複数（ここでは２つ）のボルト１３が締結可能に、コネクタ本体５を貫通する複数（ここでは２つ）のボルト用ネジ穴３３を有する。
【００５０】
このボルト締結部１５は、一対の幹線ケーブル３，３のうち他方の幹線ケーブル３の端末処理された端部が挿入され、複数のボルト用ネジ穴３３にそれぞれボルト１３が締結される。
【００５１】
このボルト用ネジ穴３３に締結されたボルト１３は、他方の幹線ケーブル３を押圧し、コネクタ本体５と他方の幹線ケーブル３とを電気的に接続して一対の幹線ケーブル３，３を電気的に接続しつつ、コネクタ本体５を他方の幹線ケーブル３に固定させる。
【００５２】
このようなボルト締結部１５における他方の幹線ケーブル３との接続は、他方の幹線ケーブル３の端部をコネクタ本体５の他端側に挿入し、ボルト用ネジ穴３３にボルト１３を締結すればよいので、敷設現場で容易に行うことができる。
【００５３】
このため、敷設現場に搬送する前に、幹線ケーブル３の両端に端子などを圧着させる必要がなく、敷設現場で幹線ケーブル３の一端にのみ圧着されたコネクタ本体５を介して一対の幹線ケーブル３，３を接続することができ、部品点数を削減し、生産性を向上することができる。
【００５４】
このようなコネクタ本体５の中央部には、分岐コネクタ本体９が接続されるネジ穴１９がコネクタ本体５を貫通して設けられている。
【００５５】
分岐コネクタ本体９は、銅などの導電性材料からなり、少なくとも一端が開口されたＬ字状の筒状に形成され、一端側に分岐接続部１７が設けられ、他端側にネジ部２１が設けられている。
【００５６】
分岐接続部１７は、分岐コネクタ本体９の開口された一端側に設けられ、複数（ここでは２つ）のボルト１３が締結可能に、分岐コネクタ本体９を貫通する複数（ここでは２つ）の分岐ボルト締結部２３を有する。
【００５７】
この分岐接続部１７は、一対の幹線ケーブル３，３から分岐する分岐ケーブル７の端末処理された端部が挿入され、複数の分岐ボルト締結部２３にそれぞれボルト１３が締結される。
【００５８】
この分岐ボルト締結部２３に締結されたボルト１３は、分岐ケーブル７を押圧し、分岐コネクタ本体９と分岐ケーブル７とを電気的に接続しつつ、分岐コネクタ本体９を分岐ケーブル７に固定させる。
【００５９】
このような分岐接続部１７における分岐ケーブル７との接続は、分岐ケーブル７の端部を分岐コネクタ本体９の一端側に挿入し、分岐ボルト締結部２３にボルト１３を締結すればよいので、敷設現場で容易に行うことができる。
【００６０】
このため、敷設現場に搬送する前に、分岐ケーブル７の端部に端子などを圧着させる必要がなく、部品点数を削減し、生産性を向上することができる。
【００６１】
ここで、コネクタ本体５のボルト締結部１５や分岐コネクタ本体９の分岐接続部１７に締結されるボルト１３は、頭部２５が所定の締結力によって、切断部３５で切断可能に設定されている。
【００６２】
このため、ボルト１３の締結解除を不要とする場合には、ボルト１３を締結する際に、所定の締結力を付与することによって、コネクタ本体５や分岐コネクタ本体９からボルト１３の頭部２５を切り離すことができる。
【００６３】
このようにボルト１３の頭部２５をコネクタ本体５や分岐コネクタ本体９から切り離すことにより、ボルト１３の頭部２５が外方に張り出すことがなく、小型化することができる。
【００６４】
ネジ部２１は、分岐コネクタ本体９のコネクタ本体５側に向けてＬ字状に屈曲された他端側に設けられ、コネクタ本体５に設けられたネジ穴１９に締結可能となっている。
【００６５】
なお、ネジ部２１が設けられた分岐コネクタ本体９の他端は、開口されていてもよいが、ネジ部２１の強度を増大させるために、中実状とすることが好ましい。
【００６６】
このネジ部２１は、コネクタ本体５のネジ穴１９に締結されることにより、分岐コネクタ本体９とコネクタ本体５とを電気的に接続して一対の幹線ケーブル３，３と分岐ケーブル７とを電気的に接続しつつ、分岐コネクタ本体９をコネクタ本体５に固定させる。
【００６７】
このように分岐コネクタ本体９にネジ部２１を設けることにより、敷設現場で一対の幹線ケーブル３，３から分岐ケーブル７に分岐させる必要がある場合に応じて、ネジ部２１をネジ穴１９に締結することによって、容易に一対の幹線ケーブル３，３から分岐ケーブル７を分岐させることができる。
【００６８】
このように構成されたコネクタ１は、まず、コネクタ本体５の圧着部１１が幹線ケーブル３の端部に圧着された状態で、敷設現場に搬送される。
【００６９】
次に、コネクタ本体５のボルト締結部１５に他方の幹線ケーブル３の端部を挿入し、ボルト用ネジ穴３３にボルト１３を締結することによって、一対の幹線ケーブル３，３を電気的に接続する。
【００７０】
このとき、必要に応じて、ボルト１３に所定の締結力を付与して、ボルト１３の頭部２５を切断する。
【００７１】
次に、一対の幹線ケーブル３，３から分岐ケーブル７に分岐する場合には、コネクタ本体５のネジ穴１９に分岐コネクタ本体９のネジ部２１を締結し、コネクタ本体５と分岐コネクタ本体９とを電気的に接続する。
【００７２】
次に、分岐コネクタ本体９の分岐接続部１７に分岐ケーブル７の端部を挿入し、分岐ボルト締結部２３にボルト１３を締結することによって、一対の幹線ケーブル３，３と分岐ケーブル７とを電気的に接続する。
【００７３】
このとき、必要に応じて、ボルト１３に所定の締結力を付与して、ボルト１３の頭部２５を切断する。
【００７４】
そして、コネクタ１の絶縁性や防水性を確保するために、自己融着テープや収縮チューブなどの絶縁部材３７でコネクタ１の周囲を覆い、コネクタ１の組付けを完了する。
【００７５】
なお、絶縁部材３７でコネクタ１の周囲を覆う場合には、一対の幹線ケーブル３，３や分岐ケーブル７のシース３１まで覆うことが好ましい。
【００７６】
このようなコネクタ１では、コネクタ本体５が、両端が開口された筒状に形成され、一端側に一方の幹線ケーブル３の端部に圧着される圧着部１１が設けられているので、敷設現場に搬送する前の状態で、一方の幹線ケーブル３の一端側にのみコネクタ本体５を圧着部１１で圧着させればよく、生産性を向上することができる。
【００７７】
このコネクタ本体５の他端側には、他方の幹線ケーブル３の端部に外周から締結されるボルト１３を介して他方の幹線ケーブル３に接続されるボルト締結部１５が設けられているので、敷設現場で、コネクタ本体５のボルト締結部１５にボルト１３を締結すれば一対の幹線ケーブル３，３を接続でき、部品点数を削減して一対の幹線ケーブル３，３を接続することができる。
【００７８】
また、分岐コネクタ本体９の他端側には、コネクタ本体５に形成されたネジ穴１９に締結されコネクタ本体５に接続されるネジ部２１が設けられているので、コネクタ本体５のネジ穴１９に分岐コネクタ本体９のネジ部２１を締結することにより、容易に一対の幹線ケーブル３，３から分岐ケーブル７を分岐させることができる。
【００７９】
従って、このようなコネクタ１では、部品点数を削減でき、生産性を向上することができる。
【００８０】
また、分岐接続部１７は、分岐コネクタ本体９の一端が開口された筒状に形成され、分岐コネクタ本体９の外周から締結されるボルト１３を介して分岐ケーブル７に接続される分岐ボルト締結部２３を有するので、敷設現場で容易に分岐コネクタ本体９と分岐ケーブル７とを接続することができ、配線の自由度を向上することができる。
【００８１】
さらに、ボルト１３の頭部２５は、所定の締結力により切断可能であるので、必要に応じて、ボルト１３の頭部２５を切断することができ、ボルト１３の頭部２５が外方に張り出すことがなく、小型化することができる。
【００８２】
（第２実施形態）
図９〜図１１を用いて第２実施形態について説明する。
【００８３】
本実施の形態に係るコネクタ１０１は、コネクタ本体５が、少なくともボルト１３が締結される他端側の外形形状が多角形状に形成され、それぞれの面１０３にボルト１３が締結されるボルト用ネジ穴１０５が設けられている。
【００８４】
また、コネクタ本体５の隣り合う面１０３，１０３に設けられたボルト用ネジ穴１０５，１０５は、コネクタ本体５の長さ方向の異なる位置に配置されている。
【００８５】
さらに、分岐コネクタ本体９のネジ部２１は、ボルト用ネジ穴１０５に締結される。
【００８６】
なお、第１実施形態と同一の構成には、同一の記号を記して構成及び機能説明は第１実施形態を参照するものとし省略するが、第１実施形態と同一の構成であるので、得られる効果は同一である。
【００８７】
図９〜図１１に示すように、コネクタ本体５のボルト締結部１５側は、外形形状が６つの面１０３を有するように、６角形の多角形状に形成されている。
【００８８】
このようにコネクタ本体５を多角形状とすることにより、圧着部１１で圧着された一方の幹線ケーブル３が回転したとしても、ボルト１３を締結する作業者に対して、複数の面１０３のうちいくつかの面１０３が対向して配置される。
【００８９】
この多角形状のそれぞれの面１０３には、ボルト１３を締結可能に、コネクタ本体５を貫通するボルト用ネジ穴１０５が設けられている。
【００９０】
このように多角形状のそれぞれの面１０３にボルト用ネジ穴１０５を設けることにより、コネクタ本体５に他方の幹線ケーブル３を接続するときに、ボルト１３を締結する作業者に対して、複数のボルト用ネジ穴１０５のうちいくつかのボルト用ネジ穴１０５が対向して配置されることになる。
【００９１】
このため、ボルト１３を締結する作業者は、ボルト用ネジ穴１０５に対してボルト１３を垂直に挿入し易くなり、ボルト１３が斜めに挿入されることによって生じるボルト１３やボルト用ネジ穴１０５の破損を防止することができる。
【００９２】
なお、ここでは、複数のボルト用ネジ穴１０５のうち２つのボルト用ネジ穴１０５に、それぞれボルト１３が締結され、ボルト１３の頭部２５が切断されている。
【００９３】
このようなボルト用ネジ穴１０５は、コネクタ本体５の隣り合う面１０３，１０３に設けられたボルト用ネジ穴１０５，１０５が、コネクタ本体５の長さ方向の異なる位置に配置されている。
【００９４】
このため、複数のボルト用ネジ穴１０５は、コネクタ本体５の周方向において、それぞれのコネクタ本体５の長さ方向に対する位置が、互い違いとなるように配置されている。
【００９５】
このように複数のボルト用ネジ穴１０５を配置することにより、コネクタ本体５の周方向に隣り合うボルト用ネジ穴１０５，１０５が干渉することがなく、１つのボルト用ネジ穴１０５を１つの面１０３に最大限設けることができる。
【００９６】
このため、ボルト用ネジ穴１０５に締結されるボルト１３の径を増大させることができ、コネクタ本体５に固定される他方の幹線ケーブル３の機械的な固定強度や他方の幹線ケーブル３との接触面積の増大による電気的な接続信頼性を向上することができる。
【００９７】
このような複数のボルト用ネジ穴１０５には、分岐コネクタ本体９のネジ部２１（図４参照）が締結可能となっている。
【００９８】
このように複数のボルト用ネジ穴１０５に、分岐コネクタ本体９のネジ部２１を締結可能とすることにより、コネクタ本体５にネジ部２１が締結される専用のネジ穴１９（図２参照）を設ける必要がない。
【００９９】
このため、複数のボルト用ネジ穴１０５がネジ穴１９と共用化されているので、一対の幹線ケーブル３，３から分岐ケーブル７（図１参照）に分岐させる場合には、複数のボルト用ネジ穴１０５のうちいずれか１つに分岐コネクタ本体９のネジ部２１を締結すればよく、容易に一対の幹線ケーブル３，３から分岐ケーブル７に分岐させることができる。
【０１００】
このようなコネクタ１０１では、コネクタ本体５が、少なくともボルト１３が締結される他端側の外形形状が多角形状に形成されているので、幹線ケーブル３が回転したとしても、いずれかの面１０３が作業者に対向して配置される。
【０１０１】
この多角形状のそれぞれの面１０３には、ボルト１３が締結されるボルト用ネジ穴１０５が設けられているので、いずれかのボルト用ネジ穴１０５が作業者に対向して配置され、ボルト用ネジ穴１０５にボルト１３が斜めに挿入されることを防止でき、ボルト１３やボルト用ネジ穴１０５の破損を防止することができる。
【０１０２】
また、コネクタ本体５の隣り合う面１０３，１０３に設けられたボルト用ネジ穴１０５，１０５は、コネクタ本体５の長さ方向の異なる位置に配置されているので、コネクタ本体５の周方向に隣り合うボルト用ネジ穴１０５，１０５が干渉することがなく、１つのボルト用ネジ穴１０５を１つの面１０３に最大限設けることができ、電気的な接続信頼性と機械的な強度を向上することができる。
【０１０３】
さらに、分岐コネクタ本体９のネジ部２１は、ボルト用ネジ穴１０５に締結されるので、ボルト用ネジ穴１０５を分岐コネクタ本体９のネジ部２１が締結されるネジ穴として共用化することができる。
【０１０４】
（第３実施形態）
図１２〜図１６を用いて第３実施形態について説明する。
【０１０５】
本実施の形態に係るコネクタ２０１は、コネクタ本体５の圧着部１１とボルト締結部１５とに、それぞれ一対の幹線ケーブル３，３の外周と圧着部１１の内周及びボルト締結部１５の内周との間を埋める調整部材２０３，２０５が配置されている。
【０１０６】
なお、他の実施形態と同一の構成には、同一の記号を記して構成及び機能説明は他の実施形態を参照するものとし省略するが、他の実施形態と同一の構成であるので、得られる効果は同一である。
【０１０７】
図１２〜図１６に示すように、コネクタ本体５の圧着部１１とボルト締結部１５との開口側には、それぞれ調整部材２０３，２０５が挿入される。
【０１０８】
圧着部１１側に挿入される調整部材２０３は、コネクタ本体５と同様の銅などの導電性材料からなり、環状に形成され、圧着部１１に挿入可能なように、外径が圧着部１１の内径と同等、或いは僅かに小さく設定されている。
【０１０９】
この調整部材２０３の外周には、圧着部１１の内周に設けられた溝部２０７と係合可能な凸部２０９が突設され、凸部２０９を溝部２０７と係合することにより調整部材２０３が圧着部１１に挿入され、調整部材２０３が圧着部１１の開口側に配置される。
【０１１０】
このような調整部材２０３の内径は、圧着部１１に挿入される一方の幹線ケーブル３の外径と同等に設定されている。
【０１１１】
このため、調整部材２０３を圧着部１１に配置した状態で、一方の幹線ケーブル３を圧着部１１に挿入することにより、一方の幹線ケーブル３の外周が調整部材２０３の内周面に配置され、調整部材２０３が一方の幹線ケーブル３の外周と圧着部１１の内周との間を埋めるように配置された状態となる。
【０１１２】
この状態から圧着部１１を圧着することにより、コネクタ本体５と一方の幹線ケーブル３とを調整部材２０３を介して電気的に接続しつつ、コネクタ本体５を一方の幹線ケーブル３に固定させる。
【０１１３】
このように調整部材２０３で一方の幹線ケーブル３の外周と圧着部１１の内周との間を埋めることにより、調整部材２０３を配置していない状態で圧着部１１に挿入される一方の幹線ケーブル３を圧着部１１に挿入した状態と同等の断面積を得ることができ、圧着部１１の圧着後の一方の幹線ケーブル３の圧縮率を同等とし、機械的、電気的性能を満足することができる。
【０１１４】
ボルト締結部１５側に挿入される調整部材２０５は、コネクタ本体５と同様の銅などの導電性材料からなり、半円状に形成され、ボルト締結部１５に挿入可能なように、外径がボルト締結部１５の内径と同等に設定されている。
【０１１５】
この調整部材２０５の外周には、ボルト締結部１５の内周に設けられた溝部２１１と係合可能な凸部２１３が突設され、凸部２１３を溝部２１１と係合することにより調整部材２０５がボルト締結部１５に挿入され、調整部材２０５がボルト締結部１５の開口側に配置される。
【０１１６】
このような調整部材２０５の内径は、ボルト締結部１５に挿入される他方の幹線ケーブル３の外径と同等に設定され、調整部材２０５の内周面が、複数（ここでは２つ）のボルト用ネジ穴３３に対向して配置されている。
【０１１７】
このため、調整部材２０５をボルト締結部１５に配置した状態で、他方の幹線ケーブル３をボルト締結部１５に挿入することにより、他方の幹線ケーブル３のボルト用ネジ穴３３と反対側の外周面が調整部材２０５の内周面に配置され、調整部材２０５が他方の幹線ケーブル３の外周とボルト締結部１５の内周との間を埋めるように配置された状態となる。
【０１１８】
この状態からボルト締結部１５のボルト用ネジ穴３３にボルト１３を締結することにより、コネクタ本体５と他方の幹線ケーブル３とを調整部材２０５を介して電気的に接続して一対の幹線ケーブル３，３を電気的に接続しつつ、コネクタ本体５を他方の幹線ケーブル３に固定させる。なお、ボルト１３の頭部２５は、所定の締結力により切断される。
【０１１９】
このように調整部材２０５で他方の幹線ケーブル３の外周とボルト締結部１５の内周との間を埋めることにより、調整部材２０５を配置していない状態でボルト締結部１５に挿入される他方の幹線ケーブル３をボルト締結部１５に挿入した状態と同等の断面積を得ることができ、ボルト１３の締結後の他方の幹線ケーブル３の圧縮率を同等とし、機械的、電気的性能を満足することができる。
【０１２０】
加えて、半円状の調整部材２０５は、ボルト用ネジ穴３３と対向して配置されているので、ボルト１３を締結するときに、ボルト１３の押圧による他方の幹線ケーブル３の広がりを防止することができ、機械的、電気的性能を満足することができる。
【０１２１】
なお、コネクタ１は、一対の幹線ケーブル３，３への組付けを終えた後、絶縁性や防水性を確保するために、自己融着テープや収縮チューブなどの絶縁部材３７でコネクタ１の周囲が覆われる。
【０１２２】
このようなコネクタ１では、コネクタ本体５の圧着部１１とボルト締結部１５とに、それぞれ一対の幹線ケーブル３，３の外周と圧着部１１の内周及びボルト締結部１５の内周との間を埋める調整部材２０３，２０５が配置されているので、様々な外径を有する複数種類の一対の幹線ケーブル３，３に対して１つのコネクタ本体５で対応することができ、コネクタ本体５の汎用性を向上することができる。
【０１２３】
なお、本発明の実施の形態に係るコネクタでは、コネクタ本体や分岐コネクタ本体に締結されるボルトが２つとなっているが、これに限らず、締結されるボルトを３つ以上、或いは１つとしてもよい。
【０１２４】
また、コネクタ本体の多角形状は、６角形状となっているが、これに限らず、３角形や４角形、或いは７角形などの多角形状であれば、どのような形状であってもよい。
【０１２５】
さらに、コネクタ本体は、ボルトが締結される他端側の外形形状が多角形状に形成されているが、これに限らず、コネクタ本体の全体の外形形状を多角形状に形成してもよい。
【０１２６】
また、コネクタ本体のボルト締結部に配置される調整部材は、半円状に形成されているが、これに限らず、調整部材を環状に形成し、ボルト用ネジ穴と一致する位置に、孔やネジ穴を設けてもよい。
【符号の説明】
【０１２７】
１，１０１，２０１…コネクタ
３…幹線ケーブル
５…コネクタ本体
７…分岐ケーブル
９…分岐コネクタ本体
１１…圧着部
１３…ボルト
１５…ボルト締結部
１７…分岐接続部
１９…ネジ穴
２１…ネジ部
２３…分岐ボルト締結部
２５…頭部
１０３…面
１０５…ボルト用ネジ穴
２０３，２０５…調整部材
【図１】
2018018812.tif 000003
【図２】
2018018812.tif 000004
【図３】
2018018812.tif 000005
【図４】
2018018812.tif 000006
【図５】
2018018812.tif 000007
【図６】
2018018812.tif 000008
【図７】
2018018812.tif 000009
【図８】
2018018812.tif 000010
【図９】
2018018812.tif 000011
【図１０】
2018018812.tif 000012
【図１１】
2018018812.tif 000013
【図１２】
2018018812.tif 000014
【図１３】
2018018812.tif 000015
【図１４】
2018018812.tif 000016
【図１５】
2018018812.tif 000017
【図１６】
2018018812.tif 000018